(57)【要約】【課題】宣伝対象の宣伝を依頼する依頼主が意図するアンケートモニターに対して、当該宣伝対象を効果的に宣伝すること。【解決手段】端末装置において、宣伝対象に関連する関連アンケートを含む関連アンケートコンテンツと、宣伝対象に関する宣伝を含む宣伝コンテンツと、当該宣伝コンテンツの内容に関連する宣伝アンケートを含む宣伝アンケートコンテンツと、を含むプロモーテッドアンケートコンテンツを取得し、取得したプロモーテッドアンケートコンテンツにおける関連アンケートコンテンツを再生した結果、関連アンケートに対する回答の入力を受け付けた場合に、表示画面を制御して宣伝コンテンツを再生し、宣伝コンテンツを再生した後に宣伝アンケートコンテンツを再生し、宣伝アンケートに対する回答の入力を受け付けた場合に回答情報を生成してプロモーテッドアンケートコンテンツの取得元に送信するプロモーテッドアンケートプログラムを構成した。【選択図】図４
2015049546.tif 000002
【特許請求の範囲】
【請求項１】
表示画面の表示内容を制御する表示制御手段と、操作入力を受け付ける入力部と、を備えた端末装置のコンピュータに、
宣伝対象に関連する関連アンケートを含む関連アンケートコンテンツと、前記宣伝対象に関する宣伝を含む宣伝コンテンツと、当該宣伝コンテンツの内容に関連する宣伝アンケートを含む宣伝アンケートコンテンツと、を含むプロモーテッドアンケートコンテンツを取得し、
前記入力部による入力操作に応じて前記表示制御手段により表示画面を制御して、取得したプロモーテッドアンケートコンテンツにおける前記関連アンケートコンテンツを再生し、
前記関連アンケートコンテンツを再生した結果、前記入力部により前記関連アンケートに対する回答の入力を受け付けた場合に、前記表示制御手段により表示画面を制御して前記宣伝コンテンツを再生し、
前記宣伝コンテンツを再生した後に、前記表示制御手段により表示画面を制御して前記宣伝アンケートコンテンツを再生し、
前記宣伝アンケートコンテンツを再生した結果、前記入力部により前記宣伝アンケートに対する回答の入力を受け付けた場合に、前記関連アンケートおよび前記宣伝アンケートに対する回答と、当該回答の入力を受け付けたコンピュータ装置において再生されたプロモーテッドアンケートコンテンツの識別情報あるいはアンケートモニターの識別情報の少なくとも一方と、を含む回答情報を生成し、
生成した回答情報を、前記プロモーテッドアンケートコンテンツの取得元に送信する、
処理を実行させることを特徴とするプロモーテッドアンケートプログラム。
【請求項２】
表示画面の表示内容を制御する表示制御部と、
操作入力を受け付ける入力部と、
宣伝対象に関連する関連アンケートを含む関連アンケートコンテンツと、前記宣伝対象に関する宣伝を含む宣伝コンテンツと、当該宣伝コンテンツの内容に関連する宣伝アンケートを含む宣伝アンケートコンテンツと、を含むプロモーテッドアンケートコンテンツを取得し、
前記入力部による入力操作に応じて前記表示制御部により表示画面を制御して、取得したプロモーテッドアンケートコンテンツにおける前記関連アンケートコンテンツを再生し、
前記関連アンケートコンテンツを再生した結果、前記入力部により前記関連アンケートに対する回答の入力を受け付けた場合に、前記表示制御部により表示画面を制御して前記宣伝コンテンツを再生し、
前記宣伝コンテンツを再生した後に、前記表示制御部により表示画面を制御して前記宣伝アンケートコンテンツを再生し、
前記宣伝アンケートコンテンツを再生した結果、前記入力部により前記宣伝アンケートに対する回答の入力を受け付けた場合に、前記関連アンケートおよび前記宣伝アンケートに対する回答と、当該回答の入力を受け付けたコンピュータ装置において再生されたプロモーテッドアンケートコンテンツの識別情報あるいはアンケートモニターの識別情報の少なくとも一方と、を含む回答情報を生成し、
生成した回答情報を、前記プロモーテッドアンケートコンテンツの取得元に送信する、制御部と、
を備えたことを特徴とする端末装置。
【発明の詳細な説明】
【技術分野】
【０００１】
この発明は、プロモーテッドアンケートプログラムおよび端末装置に関する。
【背景技術】
【０００２】
インターネット上のウェブサイトや電子メールに掲載される広告、いわゆるインターネット広告技術の一つに、ＷＥＢサイトにバナーを貼り、当該バナーがクリックされた場合に当該バナーにリンクされた広告主のＷＥＢサイトに移動するようにした技術（バナー広告技術）がある。バナー広告技術においては、たとえば、アドネットワークに掲載された広告を閲覧する各端末装置における閲覧履歴などからアンケートモニター（オーディエンス）をターゲティングし、利用者の関心がある内容のバナーを表示させるようにしている。
【０００３】
バナーには、常時同じサイズで表示されるタイプや、通常は邪魔にならないサイズであって、オンマウス時に一時的に拡大表示する（エキスパンド広告）タイプなどがある。また、バナーには、利用者が開いたＷＥＢページと並べて（たとえば表示画面の下隅に）表示するタイプや、エキスパンド広告などのように他のコンテンツの上に覆い被さるように表示されるタイプ（フローティング広告）などがある。
【０００４】
また、従来、会員制のＷＥＢサイトに表示された広告（リワード広告）をクリックするなどして選択し、クリックの飛び先のＷＥＢページにおいて、所定のアプリケーションをダウンロードしたり商品を購入したりするアクションがなされた場合に、広告主から会員制のＷＥＢサイトの開設者に対して成果報酬の支払いがおこなわれるとともに、リワード広告をクリックした会員に会員制のＷＥＢサイト内で使えるポイントなどの特典を付与する技術（リワード広告技術）があった。このようなリワード広告は、たとえば、ゲームなどの特定のアプリケーションを利用者の携帯端末装置にダウンロードさせるなどの目的のためにブースト広告として多く利用されていた。
【０００５】
また、従来、インターネットリサーチ（ネット・リサーチ）などと称される、インターネットを利用して市場調査をおこなう技術があった。インターネットリサーチは、短期間で大量の回答を集めることができるなどの利点があり、近年広く活用されている。
【０００６】
インターネットリサーチにおいては、企業などの依頼主から依頼を受けたリサーチ会社が、あらかじめ登録されたアンケートモニターに対して、当該企業の商品に関する感想などについてのアンケートに関する情報を含むメールを送信する。アンケートモニターは、受信したメールに記載されているアンケートに回答やコメントを書き込んで返信する、あるいは、当該メールにしたがってアクセスした所定のＷＥＢページに表示されるアンケートに回答やコメントを書き込む。リサーチ会社は、アンケートに書き込まれた回答やコメントの集計や分析をおこない、当該集計結果や分析結果を依頼主に報告する。インターネットリサーチにおいては、リサーチ会社から、アンケートに回答したアンケートモニターに対して、ポイントや金券などの特典が提供される。
【先行技術文献】
【特許文献】
【０００７】
【特許文献１】特開２００１−２４９９１５号公報
【発明の概要】
【発明が解決しようとする課題】
【０００８】
しかしながら、上述したバナー広告技術を用いた従来の技術は、バナー内に表示できる情報量が少なく、対象とする商品やサービスを十分に広告することが難しいという問題があった。また、上述したバナー広告技術を用いた従来の技術は、スマートフォンなどの携帯型端末装置における限られた表示画面に、利用者が開いたＷＥＢページと並べてバナーを表示するため、端末装置の利用者が本来閲覧したい情報の表示領域が減ってしまうという問題があった。
【０００９】
また、上述したバナー広告技術を用いた従来の技術は、当該利用者によるＷＥＢページの閲覧にともなって利用者の意図とは無関係にバナーが表示されるため、当該利用者に煩わしさを感じさせてしまう場合があるという問題があった。また、上述したバナー広告技術を用いた従来の技術において、たとえば、エキスパンド広告などは技巧に走る傾向にあり、エキスパンド広告に接触するアンケートモニターの負担（接触負担）が大きいという問題があった。
【００１０】
また、上述したバナー広告技術を用いた従来の技術は、利用者と広告主との間にアドネットワークが介在し、アドネットワークに掲載された広告やＷＥＢサイトの閲覧履歴などから、一定の条件に合致する利用者の端末装置にバナーを表示するため、広告主が広告配信先を選ぶことができないという問題があった。
【００１１】
また、上述したバナー広告技術を用いた従来の技術は、アドネットワークに掲載された広告やＷＥＢサイトの閲覧履歴などに基づいてバナーを広告するため、広告主が本来意図しない（好ましいとは思えない）内容のＷＥＢサイトの閲覧にともなって当該広告主が依頼したバナーが表示されることがあり、これによって広告やブランドの価値を毀損しかねないという問題があった。
【００１２】
また、利用者は自身が真に関心を持つ商品やサービスについての広告やＷＥＢサイトのみを閲覧するものではなく、上述したバナー広告技術を用いた従来の技術は、広告やＷＥＢサイトの閲覧履歴などに基づいてバナーを広告するため、真に関心を持っている利用者にターゲットを絞って広告をおこなうことができず、広告をおこなうことによる効果を十分に発揮させることが難しいという問題があった。
【００１３】
また、上述したリワード広告技術を用いた従来の技術は、広告の出稿者およびアンケートモニターの双方がリワード広告がブースト広告であることを理解していることが多く、広告の出稿者は「特定のアプリケーションのダウンロードの促進」、アンケートモニターは「ポイントなどの特典の獲得」をそれぞれ目的として割り切ってリワード広告を閲覧するため、リワード広告を介して収集した情報（利用者の属性）に対する信頼性が低いという問題があった。
【００１４】
このため、リワード広告技術を用いた従来の技術は、純粋なターゲティングメディアとしてリワード広告を活用しきれていないという問題があった。そして、純粋なターゲティングができないため、上述したリワード広告技術を用いた従来の技術は、広告主や広告対象のブランドとアンケートモニターとの関係や状態に応じた施策展開が難しいという問題があった。
【００１５】
この発明は、上述した従来技術による問題点を解消するため、宣伝対象の宣伝を依頼する依頼主が意図するアンケートモニターに対して、当該宣伝対象を効果的に宣伝することができるプロモーテッドアンケートプログラムおよび端末装置を提供することを目的とする。
【００１６】
また、この発明は、上述した従来技術による問題点を解消するため、宣伝対象の宣伝を依頼する依頼主が意図するアンケートモニターに対して、当該アンケートモニターに負担をかけることなく、当該宣伝対象を効果的に宣伝することができるプロモーテッドアンケートプログラムおよび端末装置を提供することを目的とする。
【課題を解決するための手段】
【００１７】
上述した課題を解決し、目的を達成するため、この発明にかかるプロモーテッドアンケートプログラムは、表示画面の表示内容を制御する表示制御手段と、操作入力を受け付ける入力部と、を備えた端末装置のコンピュータに、宣伝対象に関連する関連アンケートを含む関連アンケートコンテンツと、前記宣伝対象に関する宣伝を含む宣伝コンテンツと、当該宣伝コンテンツの内容に関連する宣伝アンケートを含む宣伝アンケートコンテンツと、を含むプロモーテッドアンケートコンテンツを取得し、前記入力部による入力操作に応じて前記表示制御手段により表示画面を制御して、取得したプロモーテッドアンケートコンテンツにおける前記関連アンケートコンテンツを再生し、前記関連アンケートコンテンツを再生した結果、前記入力部により前記関連アンケートに対する回答の入力を受け付けた場合に、前記表示制御手段により表示画面を制御して前記宣伝コンテンツを再生し、前記宣伝コンテンツを再生した後に、前記表示制御手段により表示画面を制御して前記宣伝アンケートコンテンツを再生し、前記宣伝アンケートコンテンツを再生した結果、前記入力部により前記宣伝アンケートに対する回答の入力を受け付けた場合に、前記関連アンケートおよび前記宣伝アンケートに対する回答と、当該回答の入力を受け付けたコンピュータ装置において再生されたプロモーテッドアンケートコンテンツの識別情報あるいはアンケートモニターの識別情報の少なくとも一方と、を含む回答情報を生成し、生成した回答情報を、前記プロモーテッドアンケートコンテンツの取得元に送信する、処理を実行させることを特徴とする。
【００１８】
また、この発明にかかる端末装置は、表示画面の表示内容を制御する表示制御部と、操作入力を受け付ける入力部と、宣伝対象に関連する関連アンケートを含む関連アンケートコンテンツと、前記宣伝対象に関する宣伝を含む宣伝コンテンツと、当該宣伝コンテンツの内容に関連する宣伝アンケートを含む宣伝アンケートコンテンツと、を含むプロモーテッドアンケートコンテンツを取得し、前記入力部による入力操作に応じて前記表示制御部により表示画面を制御して、取得したプロモーテッドアンケートコンテンツにおける前記関連アンケートコンテンツを再生し、前記関連アンケートコンテンツを再生した結果、前記入力部により前記関連アンケートに対する回答の入力を受け付けた場合に、前記表示制御部により表示画面を制御して前記宣伝コンテンツを再生し、前記宣伝コンテンツを再生した後に、前記表示制御部により表示画面を制御して前記宣伝アンケートコンテンツを再生し、前記宣伝アンケートコンテンツを再生した結果、前記入力部により前記宣伝アンケートに対する回答の入力を受け付けた場合に、前記関連アンケートおよび前記宣伝アンケートに対する回答と、当該回答の入力を受け付けたコンピュータ装置において再生されたプロモーテッドアンケートコンテンツの識別情報あるいはアンケートモニターの識別情報の少なくとも一方と、を含む回答情報を生成し、生成した回答情報を、前記プロモーテッドアンケートコンテンツの取得元に送信する、制御部と、を備えたことを特徴とする。
【発明の効果】
【００１９】
この発明にかかるプロモーテッドアンケートプログラムおよび端末装置によれば、宣伝対象の宣伝を依頼する依頼主が意図するアンケートモニターに対して、当該宣伝対象を効果的に宣伝することができるという効果を奏する。
【００２０】
また、この発明にかかるプロモーテッドアンケートプログラムおよび端末装置によれば、宣伝対象の宣伝を依頼する依頼主が意図するアンケートモニターに対して、当該アンケートモニターに負担をかけることなく、当該宣伝対象を効果的に宣伝することができるという効果を奏する。
【図面の簡単な説明】
【００２１】
【図１】図１は、この発明にかかる実施の形態のアンケートシステムのシステム構成を示す説明図である。
【図２Ａ】図２Ａは、この発明にかかる実施の形態のアンケートシステムにおける、サーバを実現するコンピュータ装置のハードウエア構成の一例を示す説明図である。
【図２Ｂ】図２Ｂは、この発明にかかる実施の形態のアンケートシステムにおける、端末装置を実現するスマートフォンのハードウエア構成の一例を示す説明図である。
【図３Ａ】図３Ａは、コンテンツ管理データベースの一例を示す説明図である。
【図３Ｂ】図３Ｂは、属性データベースの一例を示す説明図である。
【図３Ｃ】図３Ｃは、配信日時データベースの一例を示す説明図である。
【図４】図４は、この発明にかかる実施の形態のアンケートシステムにおける端末装置の機能的構成を示すブロック図である。
【図５Ａ】図５Ａは、端末装置が表示する表示画面例を示す説明図（その１）である。
【図５Ｂ】図５Ｂは、端末装置が表示する表示画面例を示す説明図（その２）である。
【図５Ｃ】図５Ｃは、端末装置が表示する表示画面例を示す説明図（その３）である。
【図５Ｄ】図５Ｄは、端末装置が表示する表示画面例を示す説明図（その４）である。
【図６Ａ】図６Ａは、端末装置が表示する表示画面例を示す説明図（その５）である。
【図６Ｂ】図６Ｂは、端末装置が表示する表示画面例を示す説明図（その６）である。
【図７】図７は、この発明にかかる実施の形態のアンケートシステムにおける端末装置の処理手順を示すフローチャートである。
【発明を実施するための形態】
【００２２】
以下に添付図面を参照して、この発明にかかるプロモーテッドアンケートプログラムおよび端末装置の好適な実施の形態を詳細に説明する。
【００２３】
まず、この発明にかかる実施の形態のアンケートシステムの構成について説明する。図１は、この発明にかかる実施の形態のアンケートシステムのシステム構成を示す説明図である。
【００２４】
図１において、この発明にかかる実施の形態のアンケートシステム１００は、サーバ１１０と、複数の端末装置１２０と、によって構成される。サーバ１１０と各端末装置１２０とは、インターネットなどのネットワーク１４０を介して、相互に通信可能に接続されている。
【００２５】
サーバ１１０は、この発明にかかる実施の形態のアンケートシステム１００の運用者（管理者）などによって管理される。サーバ１１０は、たとえば、パーソナルコンピュータなどの汎用的なコンピュータ装置によって実現することができる（図２Ａを参照）。端末装置１２０は、たとえば、スマートフォンなどと称される可搬性のコンピュータ装置（携帯端末装置）によって実現することができる（図２Ｂを参照）。
【００２６】
（サーバ１１０のハードウエア構成）
図２Ａは、この発明にかかる実施の形態のアンケートシステム１００における、サーバ１１０を実現するコンピュータ装置のハードウエア構成の一例を示す説明図である。図２Ａにおいて、サーバ１１０を実現するコンピュータ装置は、ＣＰＵ２１１と、ＲＯＭ２１２と、ＲＡＭ２１３と、ＨＤＤ２１４と、ＨＤ２１５と、ネットワークインターフェース（Ｉ／Ｆ）２１６と、を備えている。また、この発明にかかる実施の形態のアンケートシステム１００においてサーバ１１０を実現するコンピュータ装置が備える各部２１１〜２１６は、バス２１０によってそれぞれ接続されている。
【００２７】
ＣＰＵ２１１は、サーバ１１０を実現するコンピュータ装置全体の制御をつかさどる。ＲＯＭ２１２は、ブートプログラムなどのプログラムを記憶している。ＲＡＭ２１３は、ＣＰＵ２１１のワークエリアとして使用される。ＨＤＤ２１４は、ＣＰＵ２１１の制御にしたがってＨＤ２１５に対するデータのリード／ライトを制御する。ＨＤ２１５は、ＨＤＤ２１４の制御で書き込まれたデータを記憶する。ＨＤ２１５は、たとえば、教材データベースや加入者データベースなどの各種データベースを記憶する。
【００２８】
ネットワークＩ／Ｆ２１６は、インターネットなどのネットワーク１４０に接続され、当該ネットワーク１４０を介して、端末装置１２０などの外部装置に接続される。そして、ネットワークＩ／Ｆ２１６は、ネットワーク１４０とサーバ１１０を実現するコンピュータ装置の内部とのインターフェースをつかさどり、サーバ１１０を実現するコンピュータ装置と外部装置との間におけるデータの入出力を制御する。
【００２９】
（端末装置１２０のハードウエア構成）
図２Ｂは、この発明にかかる実施の形態のアンケートシステム１００における、端末装置１２０を実現するスマートフォンのハードウエア構成の一例を示す説明図である。図２Ｂにおいて、端末装置１２０を実現するスマートフォンは、ＣＰＵ２２１と、ＲＯＭ２２２と、ＲＡＭ２２３と、メモリ２２４と、ネットワークＩ／Ｆ２２５と、ディスプレイ２２６と、タッチパネル２２７と、マイク２２８と、スピーカー２２９と、カメラ２３０と、を備えている。また、この発明にかかる実施の形態のアンケートシステム１００において端末装置１２０を実現するスマートフォンが備える各部２２１〜２３０は、バス２２０によってそれぞれ接続されている。
【００３０】
ＣＰＵ２２１は、端末装置１２０全体の制御をつかさどる。ＲＯＭ２２２は、ブートプログラムなどのプログラムを記憶している。ＲＡＭ２２３は、ＣＰＵ２２１のワークエリアとして使用される。ネットワークＩ／Ｆ２２５は、インターネットなどのネットワーク１４０を介して、当該ネットワーク１４０に接続されたサーバ１１０などの外部装置との間におけるデータの入出力を制御する。
【００３１】
ディスプレイ２２６は、たとえば、端末装置１２０が実行可能なメニューを示すアイコンなどを表示する。ディスプレイ２２６は、たとえば、主に液晶ディスプレイや有機ＥＬ（Ｅｌｅｃｔｒｏ−Ｌｕｍｉｎｅｓｃｅｎｃｅ）ディスプレイなどによって実現することができる。
【００３２】
タッチパネル２２７は、ディスプレイ２２６に積層され、操作位置に応じた信号をＣＰＵ２２１に対して出力する。タッチパネル２２７は、たとえば抵抗膜方式や静電容量方式、音響パルス認識方式、超音波表面弾性波方式、赤外遮光方式、画像認識方式など公知の各種の方式のものを用いることができる。
【００３３】
マイク２２８は、アナログデータとして入力された話者の声をアナログ／デジタル変換し、デジタル形式の音声データを生成する。スピーカー２２９は、たとえば、音読メニューの実行時に、デジタル形式の音声データをデジタル／アナログ変換し、アナログ形式の音声データに基づいてスピーカーコーンにおけるコイルに通電するなどして音声を出力する。
【００３４】
カメラ２３０は、タッチパネル２２７の操作によって撮像対象を撮像し、画像データを生成する。生成された画像データは、ＲＡＭ２２３などに記憶される。ネットワークＩ／Ｆ２２５は、インターネットなどのネットワーク１４０に接続され、当該ネットワーク１４０と利用者の端末装置１２０を実現するスマートフォンの内部とのインターフェースをつかさどる。
【００３５】
端末装置１２０には、この発明にかかる実施の形態のプロモーテッドアンケートプログラム（ソーシャルリワードアプリケーション）がインストールされている。プロモーテッドアンケートプログラムは、たとえば、インターネットなどのネットワークを介して端末装置１２０からサーバにアクセスし、当該端末装置１２０において所定の入力操作をおこなうことによって当該端末装置１２０にダウンロードすることができる。
【００３６】
（データベース）
つぎに、この発明にかかる実施の形態のアンケートシステム１００における各種のデータベースについて説明する。サーバは、コンテンツ管理データベース（図３Ａを参照）、属性データベース（図３Ｂを参照）、配信日時データベース（図３Ｃを参照）、コンテンツデータベース（図示を省略する）、ポイント管理データベース（図示を省略する）などの各種のデータベースを備える。各種のデータベースは、たとえば、サーバ１１０を実現するコンピュータ装置が備えるＨＤ２１５などの記憶媒体に設けることができる。
【００３７】
（コンテンツ管理データベース）
図３Ａは、コンテンツ管理データベースの一例を示す説明図である。図３Ａにおいて、コンテンツ管理データベース３１０は、プロモーテッドアンケートコンテンツの識別情報ごとに、回答可能枠に関する情報を関連付けて記憶する。
【００３８】
プロモーテッドアンケートコンテンツの識別情報は、プロモーテッドアンケートコンテンツに固有の情報であって、アンケートシステムの管理者などが設定する任意の情報によって実現することができる。回答可能枠は、プロモーテッドアンケートコンテンツ１つにつき、当該プロモーテッドアンケートコンテンツによる宣伝の依頼主が希望するアンケートモニターからの回答数の上限を示す。
【００３９】
回答可能枠が示す回答数の上限は、依頼主などが指定する任意の数であって、アンケートシステム１００の管理者などによってコンテンツ管理データベース３１０に記憶される。コンテンツ管理データベース３１０において、回答可能枠が示す回答数の上限は、アンケートシステム１００の管理者などによって記憶されるものに限らず、たとえば、依頼主が任意の端末装置を用いてインターネットなどのネットワークを介してサーバ１１０にアクセスし、当該依頼主が任意の数を指定することによって記憶されるものであってもよい。
【００４０】
また、コンテンツ管理データベース３１０は、識別情報ごとに、回答可能枠が示す回答数の上限と、実際に回答があった数との差分（残数）を関連付けて記憶する。サーバ１１０は、残数が０（ゼロ）になった時点で、該当するプロモーテッドアンケートコンテンツの配信を停止する。
【００４１】
また、コンテンツ管理データベース３１０は、識別情報ごとに、プロモーテッドアンケートコンテンツを記憶する。プロモーテッドアンケートコンテンツは、たとえば、アンケートシステム１００の管理者に対してプロモーテッドアンケートコンテンツによる宣伝を依頼する依頼主などによって作成され、アンケートシステム１００の管理者によって記憶される。
【００４２】
プロモーテッドアンケートコンテンツは、関連アンケートコンテンツと宣伝コンテンツとアンケートコンテンツとを含む。関連アンケートコンテンツは、宣伝対象に関連する関連アンケートを含む。宣伝対象は、認知度の向上や関心の興起を目的とする任意のものであって、たとえば、商品、サービス、イベント、主義・主張などによって実現することができる。
【００４３】
関連アンケートは、たとえば、宣伝対象の認知度を問うアンケートや、宣伝対象に対する関心の高低を問うアンケートや、宣伝対象に対するアンケートモニターの購買意欲を問うアンケートなどによって実現することができる。関連アンケートコンテンツは、質問コンテンツと回答入力用コンテンツとによって構成される。
【００４４】
質問コンテンツは、たとえば、関連アンケートコンテンツを再生することによって、宣伝対象に対するアンケートモニターの関心の有無や当該関心の高低などを、アンケートモニターに問うテキストデータや、宣伝対象に関する画像（静止画、動画のいずれであってもよい）データなどによって実現することができる。回答コンテンツは、アンケートモニターに対して、質問コンテンツにおいてアンケートモニターに対してなされた質問に対する回答の入力を要求するとともに回答の入力形態や回答の候補などを示すテキストデータ、画像（静止画、動画のいずれであってもよい）などによって実現することができる。
【００４５】
関連アンケートコンテンツは、プロモーテッドアンケートコンテンツごとに１つであってもよく、複数含まれていてもよい。この実施の形態の関連アンケートコンテンツは、第１の関連アンケートコンテンツと、第２の関連アンケートコンテンツと、によって構成される。第１の関連アンケートコンテンツおよび第２の関連アンケートコンテンツは、それぞれが、質問コンテンツと回答入力用コンテンツとによって構成される。
【００４６】
宣伝コンテンツは、宣伝対象に関する宣伝を含む。宣伝コンテンツは、たとえば、宣伝対象の認知度の向上や宣伝対象に対する関心の興起を目的とする内容の画像（静止画、動画のいずれであってもよい）データ、テキストデータ、音声データなどによって実現することができる。
【００４７】
宣伝アンケートコンテンツは、宣伝コンテンツの内容に関連する宣伝アンケートを含む。宣伝アンケートコンテンツは、たとえば、宣伝コンテンツの内容を問うアンケートを含む画像（静止画、動画のいずれであってもよい）データ、テキストデータ、音声データなどによって実現することができる。
【００４８】
また、宣伝アンケートコンテンツは、たとえば、宣伝コンテンツに登場した商品名、サービス名、地名、キャッチコピーなど、宣伝コンテンツの内容のうち、任意の内容を問うアンケートを含む画像（静止画、動画のいずれであってもよい）データ、テキストデータ、音声データなどによって実現してもよい。
【００４９】
また、宣伝アンケートコンテンツは、たとえば、関連アンケートと比較して、宣伝対象の認知度をより深く問うアンケートや、宣伝対象に対するアンケートモニターの購買意欲が宣伝コンテンツを再生する前と後とで変化が生じたかなどを問うアンケートを含む画像（静止画、動画のいずれであってもよい）データ、テキストデータ、音声データなどによって実現してもよい。
【００５０】
プロモーテッドアンケートコンテンツは、当該プロモーテッドアンケートコンテンツを視聴し、当該プロモーテッドアンケートコンテンツに含まれる各アンケートに回答させることにより、アンケートモニターに「プライミング効果」を生じさせることができる。プライミング効果は、宣伝コンテンツに先行する関連アンケートコンテンツ（プライマー）が、後行する宣伝コンテンツ（宣伝対象、ターゲット）の宣伝および意識付けを促進する効果であって、プライミング効果を生じるプロモーテッドアンケートコンテンツにより、心理学効果として、宣伝対象に対するアンケートモニターの興味喚起を段階的に高めることができる。プライミング効果により、アンケートモニターに対する宣伝対象の宣伝を、潜在的（無意識的）におこなうことができる。
【００５１】
具体的に、この発明にかかる実施の形態においては、プロモーテッドアンケートコンテンツにおける第１の関連コンテンツによって宣伝対象に対するアンケートモニターの興味を喚起し、第２の関連コンテンツによって宣伝対象に対するアンケートモニターの興味を一気に高めることができる。そして、宣伝対象に対するアンケートモニターの興味を高めた状態で、宣伝コンテンツ（ＬＰ）を視聴させることにより、宣伝対象に対するアンケートモニターの興味を確実に喚起させ、アンケートモニターに対する宣伝対象の認知および浸透を図ることができる。
【００５２】
この発明にかかる実施の形態のプロモーテッドアンケートコンテンツは、第１の関連コンテンツ、第２の関連コンテンツ、宣伝コンテンツ（ＬＰ）を順次視聴させ、各関連コンテンツにおけるアンケートに順次回答させることにより、「アンケートモニターの興味を、段々と（徐々に）高める」ことができるという特徴を備えている。また、この発明にかかる実施の形態のプロモーテッドアンケートコンテンツは、宣伝コンテンツ（ＬＰ）の後に宣伝アンケートコンテンツに回答させることにより、アンケートモニターに対して宣伝対象を「再刷り込み」することができる。宣伝コンテンツ（ＬＰ）の視聴により宣伝を受けた宣伝対象（商品やサービス）に関連するアンケート（宣伝アンケート、質問）をおこなうことにより、当該宣伝対象をアンケートモニターに思い出させるとともに、憶えさせる（記憶させる）ことができる。
【００５３】
上記の「プライミング効果」を用いたプロモーテッドアンケートコンテンツは、それぞれ、「盛り上げ型」あるいは「落差型」のいずれかの手法に即して構成することができる。具体的には、たとえば、第１の関連コンテンツ（以下、適宜「Ｑ１」という）、第２の関連コンテンツ（以下、適宜「Ｑ２」という）、宣伝コンテンツ（以下、適宜「ＬＰ」という）および宣伝アンケートコンテンツ（以下、適宜「Ｑ３」という）の各コンテンツの内容を調整することにより、「盛り上げ型」あるいは「落差型」のいずれかの手法に即したプロモーテッドアンケートコンテンツを構成することができる。
【００５４】
（盛り上げ型）
たとえば、「盛り上げ型」のプロモーテッドアンケートコンテンツは、アンケートモニターに対して、『Ｑ１において「おっ」（と思わせる）内容とし、Ｑ２において「おお！」（となる、と思わせる）内容とした後に、ＬＰにおいて宣伝対象（商品やサービス）を見せ、その後、Ｑ３において宣伝対象を再度刷り込む』ことができるように構成することができる。
【００５５】
（落差型）
たとえば、落差型のプロモーテッドアンケートコンテンツは、アンケートモニターに対して、『Ｑ１において「ふーん」（と思う、思わせる）内容とし、Ｑ２において「えっ？」（と思う、思わせる）内容とした後に、ＬＰにおいて宣伝対象（商品やサービス）を見せ、その後、Ｑ３において宣伝対象を再度刷り込む』ことができるように構成することができる。
【００５６】
より具体的な例として、或る野菜を宣伝対象として、当該或る野菜の広告を「盛り上げ型」の手法に即しておこなう場合のプロモーテッドアンケートコンテンツについて説明する。このようなプロモーテッドアンケートコンテンツのＱ１においては、たとえば、「１９世紀のイタリアで、それを食べると女性が美しくなる野菜があったそうです。しかしこれを巡って男性達の争いが起こったため国王がこの野菜の生産を禁止したそうです。」などのように、アンケートモニターの興味をひき、アンケートに回答するようにアンケートモニターを誘導する内容とする。
【００５７】
そして、このような「盛り上げ型」の手法に即したプロモーテッドアンケートコンテンツのＱ２においては、たとえば、「今回この野菜が日本で発売になります。」とする。これにより、Ｑ１によって「おっ」と思い、宣伝対象（或る野菜）に興味を持ったアンケートモニターに対して、当該或る野菜を入手できることを示し、「おお！」と思わせることができる。
【００５８】
その後、このような「盛り上げ型」の手法に即したプロモーテッドアンケートコンテンツのＬＰにおいては、或る野菜についての詳細な説明（産地、成分、用法、調理法、保存法など）をおこない、Ｑ３において購入の意思の有無を確認するアンケートをおこなうことができる。
【００５９】
また、より具体的な例として、或る野菜を宣伝対象として、当該或る野菜の広告を「落差型」の手法に即しておこなう場合のプロモーテッドアンケートコンテンツについて説明する。このようなプロモーテッドアンケートコンテンツにおいては、たとえば、まずＱ１において、「あなたはこの野菜をご存知ですか？」として、或る野菜についての認知度を単純に確認する。そして、Ｑ２において、「これは１９世紀のイタリアで争いになったため国王が作るのを禁止した野菜です。」などのように、“野菜”と“争い”のような意外な関連性によって、アンケートモニターに「えっ？」と思わせる内容とする。
【００６０】
その後、このような「落差型」の手法に即したプロモーテッドアンケートコンテンツのＬＰにおいては、上記の「盛り上げ型」の手法に即したプロモーテッドアンケートコンテンツと同様に、或る野菜についての詳細な説明（経緯、産地、成分、用法、調理法、保存法など）をおこない、Ｑ３において購入の意思の有無を確認するアンケートをおこなうことができる。
【００６１】
Ｑ３（宣伝アンケートコンテンツ）は、アンケートモニターに対して視聴させることにより、宣伝対象とする商品やサービスの、アンケートモニターに対するアンカリング効果すなわち再刷り込みや浸透を目的として構成することが好ましい。Ｑ３（宣伝アンケートコンテンツ）は、たとえば、ＬＰ（宣伝コンテンツ）を視聴することによって回答することができるアンケート（質問）とすることが好ましい。
【００６２】
具体的には、たとえば、宣伝対象が、「今後、日本に輸入予定がある新規の野菜」である場合、Ｑ３（宣伝アンケートコンテンツ）は、その野菜の名前と発売予定日を問う内容とすることができる。これにより、アンケートモニターに対して、宣伝（広告）対象となる商品（あるいはサービス）の認知を浸透させ、記憶させることができる。そして、アンケートモニターに宣伝（広告）対象となる商品（あるいはサービス）の認知を浸透させ、記憶させることにより、将来的に顧客となりうるアンケートモニターの未来の消費行動を喚起させることができる。
【００６３】
アンケートモニターに対する、宣伝（広告）対象となる商品（あるいはサービス）の認知の浸透および記憶は、Ｑ３によるアンケートがおこなわれる直前に、ＬＰを視聴させることによって、より確実に実現することができる。すなわち、上記の例においては、Ｑ３によるアンケートがおこなわれる直前に、その野菜の名前と発売予定日を問うことで、当該宣伝（広告）対象の商品の認知を浸透させ記憶させ、それにより顧客の未来の消費行動を喚起させる、という効果を確実に得ることができる。
【００６４】
この発明にかかる実施の形態のアンケートシステム１００においては、プロモーテッドアンケートコンテンツにおけるＬＰおよびＱ３の内容を調整することにより、Ｑ３によるアンケートに対する回答を、質問者（依頼主）の意図する方向へ、或る程度誘導することができる。たとえば、Ｑ３が「『ＳＯ□Ｐ』の□に該当する文字を入れてください。」という質問である場合、当該Ｑ３の直前に視聴させるＬＰの内容が「食事の話題」であれば、先のＱ３のアンケートに対する回答は『□＝Ｕ』、すなわち『ＳＯＵＰ』という単語を表現する文字が、アンケートの回答として求めている文字であると、アンケートモニターの回答を誘導することができる。
【００６５】
また、たとえば、Ｑ３が「『ＳＯ□Ｐ』の□に該当する文字を入れてください。」という質問である場合であっても、当該Ｑ３の直前に視聴させるＬＰの内容が「手洗い・衛生の話題」であれば、先のＱ３のアンケートに対する回答は『□＝Ａ』、すなわち『ＳＯＡＰ』という単語を表現する文字が、アンケートの回答として求めている文字であると、アンケートモニターの回答を誘導することができる。
【００６６】
このように、この発明にかかる実施の形態のアンケートシステム１００においては、プロモーテッドアンケートコンテンツにおけるＬＰおよびＱ３の内容を調整することにより、アンケートモニターの脳の特性を生かして、「アンケートモニター（の思考）に対してバイアスを与える」ことができる。「アンケートモニター（の思考）に対してバイアスを与える」ことは、従来のアンケートの技術や方法においては「通常避けるべき」とされているが、この発明にかかる実施の形態のアンケートシステム１００においては、敢えて、「アンケートモニター（の思考）に対してバイアスを与える」ことにより、宣伝対象をアンケートモニターに対して効果的に宣伝する（刷り込み、認知の浸透、記憶をおこなわせる）ことができる。
【００６７】
この実施の形態のプロモーテッドアンケートコンテンツは、Ｑ１、Ｑ２、ＬＰおよびＱ３の各コンテンツを、Ｑ１→Ｑ２→ＬＰ→Ｑ３の順で視聴されるように組み合わせることによって構成されている。このように、ＬＰの視聴前にＱ１およびＱ２の２つのアンケートをおこなってから、ＬＰを視聴させ、その後Ｑ３を視聴させてアンケートをおこなうようなプロモーテッドアンケートコンテンツを構成することにより、この発明にかかる実施の形態のアンケートシステム１００によれば、上記の各種の効果を、短時間で効果的に得ることができる。
【００６８】
また、「おっ」→「おお！」の効果を得ることを目的とする「盛り上げ型」のプロモーテッドアンケートコンテンツにおいても、「ふーん」→「えっ？」の効果を得ることを目的とする「落差型」のプロモーテッドアンケートコンテンツにおいても、Ｑ１、Ｑ２、ＬＰおよびＱ３の各コンテンツを、Ｑ１→Ｑ２→ＬＰ→Ｑ３の順で視聴されるように組み合わせて構成することにより、目的とする効果を短時間で、効果的に得ることができる。すなわち、この発明にかかる実施の形態のアンケートシステム１００におけるプロモーテッドアンケートコンテンツとすることは、前述した目的とする効果を短時間で得るための最適な方法であるといえる。
【００６９】
また、コンテンツ管理データベース３１０は、プロモーテッドアンケートコンテンツの識別情報ごとに、各プロモーテッドアンケートコンテンツに回答することによって得られるポイント数に関する情報を記憶する。さらに、コンテンツ管理データベース３１０は、プロモーテッドアンケートコンテンツの識別情報ごとに、当該プロモーテッドアンケートコンテンツに回答した一のアンケートモニターが指定した、当該プロモーテッドアンケートコンテンツに回答する別のアンケートモニターが回答した場合に、当該一のアンケートモニターに提供される特典（第１の特典）に関する情報を記憶する。
【００７０】
この実施の形態のアンケートシステム１００においては、プロモーテッドアンケートコンテンツに回答した一のアンケートモニターが、当該プロモーテッドアンケートコンテンツに回答する別のアンケートモニターを指定し、指定された別のアンケートモニターが求めに応じてプロモーテッドアンケートコンテンツに回答した場合に、既にアンケートに回答したアンケートモニター（一のアンケートモニター）に対して特典（第１の特典）が提供されるルールが定められている。
【００７１】
このルールは、プロモーテッドアンケートプログラム（ソーシャルリワードアプリケーション）をインストールしたアンケートモニターに、当該インストール時に通知することができる。あるいは、このルールは、プロモーテッドアンケートコンテンツに回答した一のアンケートモニターに対して第１の特典を提供する際に、当該一のアンケートモニターの端末装置にメッセージを表示することによって通知してもよい。一のアンケートモニターに対して提供される特典（第１の特典）は、たとえば、ポイントが加算される特典（第２の特典）への挑戦権を取得するコイン（システム内で通用する擬似通貨など）によって実現することができる。
【００７２】
また、この実施の形態のアンケートシステム１００においては、プロモーテッドアンケートコンテンツによるアンケートへの回答を求めた別のアンケートモニターが当該求めに応じて回答した場合に提供されるコイン（擬似通貨）を所定数貯めることによって、ポイントが加算される特典（第２の特典）に自動的に参加することができるルールが定められている。
【００７３】
コンテンツ管理データベース３１０は、依頼主から宣伝の依頼を受けたプロモーテッドアンケートコンテンツの他に、属性回収用のプロモーテッドアンケートコンテンツを記憶している。属性回収用のプロモーテッドアンケートコンテンツは、アンケートシステムに登録したアンケートモニターの属性を得るためのアンケートを含み、アンケートシステムの管理者などによって作成される。属性回収用のプロモーテッドアンケートコンテンツへの回答により得られた属性は、属性データベース（図３Ｂを参照）に記憶される。
【００７４】
（属性データベース）
図３Ｂは、属性データベースの一例を示す説明図である。図３Ｂにおいて、属性データベース３２０は、アンケートモニターの識別情報ごとに、属性に関する情報を関連付けて記憶する。アンケートモニターの識別情報は、アンケートモニターに固有の情報であって、アンケートシステムの管理者などが設定する任意の情報によって実現することができる。
【００７５】
アンケートモニターの識別情報は、具体的には、たとえば、プロモーテッドアンケートプログラムをダウンロードした通し番号などによって実現することができる。アンケートモニターの識別情報は、アンケートモニターの氏名や居所など、当該アンケートモニターを直接的に特定可能な情報とは関連付けられていない。属性に関する情報は、たとえば、基本属性に関する情報と興味関心に関する情報とによって構成することができる。
【００７６】
基本属性は、たとえば、アンケートモニターの性別、生年月日（年齢あるいは年代を含む）、血液型など、アンケートモニターの素性や来歴を示す情報によってあらわすことができる。また、基本属性は、たとえば、職業、業種、組織規模など、アンケートモニターの社会的身分や社会的関係を示す情報によってあらわすことができる。また、基本属性は、たとえば、運転免許の有無、所有しているスマートフォンなどの端末装置１２０のタイプ（型式、性能など）を示す情報によってあらわすことができる。
【００７７】
また、基本属性は、たとえば、未既婚、子供の有無、同居形態、住居形態、ペットの飼育の有無や飼育しているペットの種類など、生活環境を示す情報によってあらわすことができる。また、基本属性は、たとえば、個別年収や世帯年収など、経済力を示す情報によってあらわすことができる。
【００７８】
また、興味関心属性は、たとえば、アンケートモニターが興味や関心を持つ分野を推測可能な情報であって、具体的には、ファッションや美容に関する情報、フード（食べ物）やドリンク（飲み物）に関する情報などによってあらわすことができる。また、興味関心属性は、たとえば、アンケートモニターの趣味や過去に参加したイベントあるいは参加予定のイベントやスポーツに関する情報、旅行に関する情報、教育に関する情報、ペットやライフステージなど生活に関する情報、その他コンピュータやエンターテインメント、ビジネス、金融、住宅、自動車（普通自動車やモーターバイクを含む）に関する情報などによってあらわすことができる。
【００７９】
属性データベース３２０における属性に関する情報は、アンケートシステム１００に登録したアンケートモニターの端末装置に対して、サーバ１１０が送信したプロモーテッドアンケートコンテンツに対する回答に関する情報に基づいて適宜更新される。アンケートシステム１００に登録したアンケートモニターの端末装置に対して、サーバ１１０が送信するプロモーテッドアンケートコンテンツは、依頼主から宣伝の依頼を受けたプロモーテッドアンケートコンテンツに限るものではない。
【００８０】
属性データベース３２０が記憶する属性に関する情報は、プロモーテッドアンケートコンテンツに対する回答の内容を直接記憶するものに限らない。たとえば、プロモーテッドアンケートコンテンツに含まれるアンケートが、自然文による回答を求める内容である場合、サーバ１１０は、自然文による回答を自然言語技術（自然言語処理、ＮＬＰ：Ｎａｔｕｒａｌ  Ｌａｎｇｕａｇｅ  Ｐｒｏｃｅｓｓｉｎｇ）により解析し、解析結果に基づいて属性に該当する情報を抽出し、抽出した情報を属性に関する情報として属性データベース３２０に記憶してもよい。
【００８１】
ＮＬＰにおいては、たとえば、形態素解析をおこなって、対象言語の文法のルールや品詞などの情報が付帯する辞書や単語リストを用いて、自然言語で書かれた文を形態素の列に分割し、それぞれの品詞を判別する。また、ＮＬＰにおいては、たとえば、構文解析をおこなって、単語や字句で構成される文を、定義された文法に従って解釈し、文の構造を明確にする。また、ＮＬＰにおいては、たとえば、語義の曖昧性を解消する処理をおこなったり、代名詞や指示詞などの指示対象を推定したり、省略された名詞句（ゼロ代名詞）を補完する照応解析をおこなったりする。ＮＬＰについては、公知の技術であるため説明を省略する。
【００８２】
この発明にかかる実施の形態のアンケートシステム１００においては、ＮＬＰを活用することにより、アンケートモニターが自己申告（登録）した属性情報をサーバ１１０が自動的に更新する、いわゆる「属性フィードバック」をおこなうことができる。属性フィードバックの具体例について説明する。ここでは、たとえば、当初「好きな果物は『バナナ』である」として属性登録した或るアンケートモニター（「アンケートモニターＸ」とする）の属性フィードバックについて説明する。
【００８３】
アンケートシステム１００においては、アンケートモニターＸに関し、当該アンケートモニターＸが「好きな果物は『バナナ』である」と回答した以降に実施した各種のアンケート結果を、ＮＬＰなどを用いて分析する。当該分析の結果、アンケートモニターＸが好きな果物は『バナナ』ではなく『みかん』であると判断できる傾向（ベクトルの傾向）が得られた場合、当該ベクトルの傾向と同傾向の回答が得られるごとに、当該ベクトルの傾向の値（ベクトル値）を加算する。
【００８４】
そして、自己申告（登録）した属性情報にかかるベクトルの傾向（たとえば、「バナナが好き」）とは異なるベクトルの傾向（たとえば、「みかんが好き」）にかかるベクトル値が、あらかじめ定められた所定の閾値を超えた場合に、当初自己申告（登録）した属性情報「好きな果物は『バナナ』である」を、新たな属性情報「好きな果物は『みかん』である」に更新する。
【００８５】
また、たとえば、属性情報の登録時には、ある事象に対して肯定的であった設問に対して、様々なアンケート結果をＮＬＰなどにより分析した結果「どうもこの方（アンケートモニター）は、その設問には、否定的な傾向のベクトルが見られる」という場合は、登録されている属性情報「ある事象に対して肯定的である」を、「ある事象に対して否定的である」という属性情報に、自動的に更新するようにしてもよい。
【００８６】
このように、この発明にかかる実施の形態のアンケートシステム１００においては、プロモーテッドアンケートコンテンツによる各アンケートへの回答に基づくアンケートモニターの属性情報を、ＮＬＰを用いて分析し、分析した結果に基づいて属性データベース３２０において既に登録してある属性情報を新たな属性情報に更新することができる。これにより、アンケートモニターの回答が不適切であった場合や、アンケートモニターの嗜好や思考が経時にともなって変化した場合にも、適宜順応し、常にアンケートモニターの嗜好や思考に即した属性情報を属性データベース３２０において記憶することができる。
【００８７】
そして、これにより、属性データベース３２０における記憶内容にしたがって、プロモーテッドアンケートコンテンツごとに適したアンケートモニターに対して、当該プロモーテッドアンケートコンテンツを配信することができる。また、これにより、プロモーテッドアンケートコンテンツごとに、反応があったアンケートモニターや当該反応があったアンケートモニターと同様の属性情報が記憶されているアンケートモニターに対して、宣伝対象にかかるプロモーテッドアンケートコンテンツを継続的に配信し、継続的に宣伝対象に接触させることができる。
【００８８】
サーバ１１０は、配信したプロモーテッドアンケートコンテンツに対する回答を受け付けるごとに、適宜、属性データベース３２０が記憶する属性に関する情報を更新する。これにより、継続的に、属性データベース３２０に記憶された属性に関する情報に基づいておこなわれるターゲティングの精度を高めることができる。
【００８９】
（配信日時データベース）
図３Ｃは、配信日時データベースの一例を示す説明図である。図３Ｃにおいて、配信日時データベース３３０は、プロモーテッドアンケートコンテンツ（プロモーテッドアンケートコンテンツの識別情報であってもよい）ごとに、当該プロモーテッドアンケートコンテンツの配信日時を記憶する。
【００９０】
図３Ｃに示した配信日時データベース３３０においては、縦方向（列）において配信日、横方向（行）において配信時間帯を規定している。図３Ｃに示した配信日時データベース３３０において、各プロモーテッドアンケートコンテンツの配信日時は、縦方向（列）に配列された日付によって配信日が規定され、横方向（行）に配列された時刻によって配信時刻が規定される。
【００９１】
（その他のデータベース）
サーバ１１０は、図示を省略する回答実績データベースを備える。回答実績データベースは、アンケートモニターごとに、他のアンケートモニターから回答を依頼された回数、回答を依頼されたアンケートに対する回答数、回答を依頼された回数と回答数との比率を示す回答率などに関する情報を関連付けて記憶する。回答実績データベースは、アンケートモニターごとに、当該アンケートモニターが設定したハンドルネームに関する情報を記憶していてもよい。
【００９２】
また、サーバ１１０は、図示を省略するポイント管理データベースを備える。ポイント管理データベースは、アンケートモニターの識別情報ごとに、当該アンケートモニターの識別情報によって識別可能なアンケートモニターに提供されたポイント数に関する情報を関連付けて記憶する。また、ポイント管理データベースは、アンケートモニターの識別情報ごとに、プロモーテッドアンケートコンテンツに回答した場合に提供されるコインの数などの第２の特典に関する情報を関連付けて記憶する。ポイント数やコインの数などは、アンケートモニターによるプロモーテッドアンケートコンテンツへの回答状況に応じて適宜更新される。
【００９３】
（端末装置１２０の機能的構成）
つぎに、この発明にかかる実施の形態のアンケートシステム１００における端末装置１２０の機能的構成について説明する。図４は、この発明にかかる実施の形態のアンケートシステム１００における端末装置１２０の機能的構成を示すブロック図である。
【００９４】
図４において、この発明にかかる実施の形態のアンケートシステム１００における端末装置１２０の機能的構成は、取得部４２１、表示部４２２、入力部４２３、制御部４２４、記憶部４２５および送信部４２６によって実現することができる。取得部４２１は、プロモーテッドアンケートコンテンツを取得する。記憶部４２５は、取得部４２１が取得したプロモーテッドアンケートコンテンツあるいは当該プロモーテッドアンケートコンテンツのＵＲＬなどを記憶する。
【００９５】
取得部４２１は、サーバ１１０から自装置（端末装置１２０）を宛先とするプロモーテッドアンケートコンテンツが配信された場合に、当該プロモーテッドアンケートコンテンツを受信することによって、該当するプロモーテッドアンケートコンテンツを取得することができる。取得部４２１は、たとえば、端末装置１２０を実現するスマートフォンが備えるネットワークＩ／Ｆ２２５によって実現することができる。
【００９６】
表示部４２２は、表示画面を備える。表示部４２２は、たとえば、端末装置１２０を実現するスマートフォンが備えるディスプレイ２２６によって実現することができる。入力部４２３は、アンケートモニターによる操作入力を受け付ける。入力部４２３は、たとえば、端末装置１２０を実現するスマートフォンが備えるタッチパネル２２７などによって実現することができる。
【００９７】
制御部４２４は、表示制御部４２４ａと生成部４２４ｂとを備えている。制御部４２４は、入力部４２３において受け付けた入力操作に応じて、表示制御部４２４ａにより表示部４２２における表示画面を制御して、取得部４２１が取得したプロモーテッドアンケートコンテンツにおける関連アンケートコンテンツを再生する。アンケートモニターは、アンケートシステムの運用上、表示制御部４２４ａにより関連アンケートコンテンツを再生することによって表示画面に表示された関連アンケートにしたがって、入力部４２３に対する入力操作をおこない、当該関連アンケートに対する回答を入力する。
【００９８】
制御部４２４は、関連アンケートコンテンツを再生した結果、入力部４２３により関連アンケートに対する回答の入力を受け付けた場合、再生中のプロモーテッドアンケートコンテンツに含まれる、別の関連アンケートコンテンツの有無を判断する。別の関連アンケートコンテンツがある場合、制御部４２４は、当該別の関連アンケートコンテンツを再生する。
【００９９】
アンケートモニターは、アンケートシステムの運用上、表示制御部４２４ａにより関連アンケートコンテンツを再生することによって表示画面に関連アンケートが表示されるごとに、当該関連アンケートにしたがって入力部４２３に対する入力操作をおこない、当該関連アンケートに対する回答を入力する。制御部４２４は、再生中のプロモーテッドアンケートコンテンツに含まれるすべての関連アンケートコンテンツの再生が完了するまで、プロモーテッドアンケートコンテンツに含まれる関連アンケートコンテンツを順次再生する。
【０１００】
制御部４２４は、関連アンケートコンテンツを再生した結果、入力部４２３により関連アンケートに対する回答の入力を受け付けた場合に、表示制御部４２４ａにより表示部４２２における表示画面を制御して、宣伝コンテンツを再生する。制御部４２４は、宣伝コンテンツの再生に先立って、当該宣伝コンテンツの再生を指示するか否かの指示の入力を要求する表示画面（図５Ｂにおける符号５２４を参照）を表示する。
【０１０１】
アンケートモニターは、アンケートシステム１００の運用上、表示画面における表示内容にしたがって、宣伝コンテンツの再生を指示する入力操作をおこなう。制御部４２４は、宣伝コンテンツの再生を指示する入力操作を受け付けた場合に、宣伝コンテンツを再生する。
【０１０２】
制御部４２４は、宣伝コンテンツを再生した後に、表示制御部４２４ａにより表示部４２２における表示画面を制御して宣伝アンケートコンテンツを再生する。制御部４２４は、宣伝コンテンツに続けて、宣伝アンケートコンテンツを再生する。アンケートモニターは、アンケートシステムの運用上、表示制御部４２４ａにより宣伝アンケートコンテンツを再生することによって表示画面に表示された宣伝アンケートにしたがって、入力部４２３に対する入力操作をおこない、当該宣伝アンケートに対する回答を入力する。
【０１０３】
制御部４２４は、宣伝アンケートコンテンツを再生した結果、入力部４２３により宣伝アンケートに対する回答の入力を受け付けた場合に、回答情報を生成する。回答情報は、先に受け付けた関連アンケートおよび宣伝アンケートに対する回答と、当該回答の入力を受け付けたコンピュータ装置において再生されたプロモーテッドアンケートコンテンツの識別情報あるいはコンピュータ装置の識別情報の少なくとも一方と、を含む。
【０１０４】
制御部４２４は、回答情報を生成した場合に、送信部４２６を制御して、当該回答情報を、プロモーテッドアンケートコンテンツの取得元であるサーバ１１０に送信する。送信部４２６は、たとえば、端末装置１２０を実現するスマートフォンが備えるネットワークＩ／Ｆ２２５によって実現することができる。
【０１０５】
サーバ１１０は、端末装置１２０から送信された回答情報を受信した場合に、受信した回答情報に基づいて属性を特定し、特定した属性に基づいて属性データベース３２０を更新する。これにより、継続的に、属性データベース３２０に記憶された属性に関する情報に基づいておこなわれるターゲティングの精度を高めることができる。
【０１０６】
また、サーバ１１０は、端末装置１２０から送信された回答情報を受信した場合に、回答情報の送信元となる端末装置１２０の利用者であるアンケートモニターに、当該回答情報にかかるプロモーテッドアンケートコンテンツに設定された数のポイントを提供する処理をおこなう。制御部４２４は、たとえば、ポイント管理データベースにおいて、アンケートモニターの識別情報に関連付けて記憶されているポイント数に、該当する数のポイントを加算することによって、ポイントを提供する処理をおこなう。
【０１０７】
（アンケートシステム１００における処理の流れ）
つぎに、この発明にかかる実施の形態のアンケートシステム１００における処理の流れについて説明する。この発明にかかる実施の形態のアンケートシステム１００においては、まず、アンケートシステム１００に登録するアンケートモニターの端末装置から、当該アンケートモニターのもっとも基本的な属性に関する情報の入力を受け付ける。
【０１０８】
アンケートモニターのもっとも基本的な属性に関する情報は、たとえば、基本属性の一部とすることができる。具体的には、アンケートモニターのもっとも基本的な属性に関する情報は、たとえば、アンケートモニターの性別や年代あるいは居住する地域などに関する情報によって実現することができる。
【０１０９】
アンケートシステム１００への登録時にアンケートモニターが入力する、当該アンケートモニターのもっとも基本的な属性に関する情報は、当該アンケートモニターの性別のみ、あるいは年代のみ、のように１つだけの情報であってもよい。これにより、初期設定にかかるアンケートモニターの負担軽減を図ることができる。
【０１１０】
この発明にかかる実施の形態のアンケートシステム１００においては、上記のように、属性データベース３２０において、アンケートモニターの識別情報ごとに、複数の基本属性や複数の興味関心属性をそれぞれ記憶している。属性データベース３２０に記憶するすべての属性に関する情報を、アンケートシステム１００の利用開始時などに、一気にすべて登録させることは、アンケートモニターにかかる負担などを考慮し、好ましくない。具体的には、たとえば、属性データベース３２０に記憶するすべての属性に関する情報を、アンケートシステム１００の利用開始時などに、一気にすべて登録させることは、登録をおこなうアンケートモニターに求める時間や手間が多くなり、アンケートモニターにかかる負担が大きくなるため、好ましくない。すなわち、アンケートシステム１００の利用にあたってアンケートモニターに入力（登録）を求める情報の数が多いと、アンケートモニターに、アンケートシステム１００の利用自体を敬遠されてしまいかねない。
【０１１１】
これに対し、この発明にかかる実施の形態のアンケートシステム１００においては、アンケートシステム１００の利用開始時においてはシンプルな属性情報のみをアンケートし、その他の属性情報については、その後に配信されるプロモーテッドアンケートコンテンツに混ぜて配信した各アンケートに対する回答に基づいて取得することができる。この場合、当該各アンケートに対する回答に基づいて属性情報を分析し、分析した結果に基づいて属性データベース３２０を更新する。
【０１１２】
このように、アンケートシステム１００の利用開始時においてはシンプルな属性情報のみをアンケートし、その後に配信されるプロモーテッドアンケートコンテンツに混ぜて配信した各アンケートに対する回答に基づいて、適宜、属性データベース３２０を更新することにより、アンケートモニターに意識させることなく、各アンケートモニターの正確な属性情報を取得することができる。そして、これにより、プロモーテッドアンケートコンテンツごとに適したアンケートモニターに対して、当該プロモーテッドアンケートコンテンツを配信することができる。
【０１１３】
サーバ１１０は、アンケートモニターの端末装置１２０から、アンケートモニターのもっとも基本的な属性に関する情報の入力を受け付けた後、当該アンケートモニターの端末装置１２０に対して、順次、属性回収用のプロモーテッドアンケートコンテンツを配信する。サーバ１１０は、たとえば、アンケートモニターのもっとも基本的な属性に関する情報の入力を受け付けた時刻（登録時刻）に基づいて、当該アンケートモニターが回答する確率が高いと判断した時間帯（高回答予測時間帯）に、属性回収用のプロモーテッドアンケートコンテンツを配信する。
【０１１４】
サーバ１１０は、たとえば、登録時刻が午前７時３０分〜午前８時３０分までの間である場合、通勤時間帯が高回答予測時間帯であると判断し、一般的な通勤時間帯に属性回収用のプロモーテッドアンケートコンテンツを配信する。あるいは、サーバ１１０は、たとえば、通勤時間帯が高回答予測時間帯であると判断した場合、当該通勤時間帯よりも若干（３０分〜１時間程度）早い時間に属性回収用のプロモーテッドアンケートコンテンツを配信してもよい。
【０１１５】
また、サーバ１１０は、たとえば、登録時刻が午後１２時００分〜午後１時００分までの間である場合、昼休みの時間帯が高回答予測時間帯であると判断し、一般的な昼休みの時間帯に属性回収用のプロモーテッドアンケートコンテンツを配信する。あるいは、サーバ１１０は、たとえば、昼休みの時間帯が高回答予測時間帯であると判断した場合、一般的な昼休みの時間帯よりも若干（３０分〜１時間程度）早い時間に属性回収用のプロモーテッドアンケートコンテンツを配信してもよい。
【０１１６】
これにより、アンケートモニターごとに、当該アンケートモニターの生活リズムに適した時間帯に、当該アンケートモニターの属性に合致したプロモーテッドアンケートコンテンツを配信することができる。そして、これにより、配信したプロモーテッドアンケートコンテンツに対する高い回答率を確保することができる。
【０１１７】
これによって、この発明にかかる実施の形態のプロモーテッドアンケートプログラムをダウンロードすることにより、アンケートモニターに負担をかけることなく、多くのポイントが提供されることを認識させ、この発明にかかる実施の形態のプロモーテッドアンケートプログラムのダウンロード数および稼働率を高くすることができる。
【０１１８】
サーバ１１０は、依頼主から依頼のあったプロモーテッドアンケートコンテンツの配信量および配信の時間帯に応じて、上記の属性回収用のプロモーテッドアンケートコンテンツの配信量および配信の時間帯を調整する。たとえば、依頼主から依頼のあったプロモーテッドアンケートコンテンツの配信予定数が多いアンケートモニターの端末装置１２０に対しては、当該配信予定数が少ないアンケートモニターの端末装置１２０よりも、属性回収用のプロモーテッドアンケートコンテンツの配信頻度を低くする。
【０１１９】
一方、依頼主から依頼のあったプロモーテッドアンケートコンテンツの配信予定数が少ないアンケートモニターの端末装置１２０に対しては、当該配信予定数が多いアンケートモニターの端末装置１２０よりも、属性回収用のプロモーテッドアンケートコンテンツの配信頻度を高くする。これにより、すべてのアンケートモニターに対して、この発明にかかる実施の形態のプロモーテッドアンケートプログラムをダウンロードすることにより、多くのポイントが提供されることを認識させ、この発明にかかる実施の形態のプロモーテッドアンケートプログラムのダウンロード数および稼働率（プロモーテッドアンケートコンテンツの再生率）を高くすることができる。
【０１２０】
端末装置１２０は、自装置を宛先として配信されたプロモーテッドアンケートコンテンツを受信することによって取得する。上記のように、アンケートシステム１００に登録した各端末装置１２０には、あらかじめこの発明にかかる実施の形態のプロモーテッドアンケートプログラムがダウンロードされている。
【０１２１】
プロモーテッドアンケートプログラムは、サーバ１１０から配信されたプロモーテッドアンケートコンテンツを受信した場合、プロモーテッドアンケートコンテンツを受信したことを示す受信通知をおこなう。具体的には、プロモーテッドアンケートプログラムは、たとえば、端末装置１２０において、表示画面に表示されるプロモーテッドアンケートプログラムのアイコンの色を変えて表示することによって受信通知をおこなう。あるいは、具体的には、プロモーテッドアンケートプログラムは、たとえば、端末装置１２０において、プロモーテッドアンケートコンテンツを受信したことを示すメッセージを表示画面に表示することによって受信通知をおこなってもよい。
【０１２２】
このような受信通知をおこなうことにより、アンケートモニターに対してプッシュ通知をおこなうことができ、アンケートモニターが端末装置に対して能動的にはたらきかけることなく、当該アンケートモニターに対してプロモーテッドアンケートコンテンツを受信したことを通知することができる。これによって、アンケートシステム１００の管理者や依頼者が意図するタイミングにおいてプロモーテッドアンケートコンテンツを再生させやすくすることができる。
【０１２３】
（表示画面例）
つぎに、この発明にかかる実施の形態のプロモーテッドアンケートプログラムがインストールされた端末装置１２０が表示する表示画面例について説明する。図５Ａ、図５Ｂ、図５Ｃおよび図５Ｄは、端末装置１２０が表示する表示画面例を示す説明図である。
【０１２４】
図５Ａにおいて、表示画面５１１は、プロモーテッドアンケートプログラム（ソーシャルリワードアプリケーション）が起動され、特定のプロモーテッドアンケートコンテンツが指定された場合に、端末装置１２０のディスプレイ２２６に表示される。前回プロモーテッドアンケートプログラム（ソーシャルリワードアプリケーション）を起動してから、次回に起動するまでの間に、複数のプロモーテッドアンケートコンテンツが取得されている場合、アンケートモニターは、複数のプロモーテッドアンケートコンテンツの中から、再生対象とする１のプロモーテッドアンケートコンテンツを指定する。
【０１２５】
表示画面５１１は、アンケートモニター（対象アンケートモニター）に提供される特典に関するコンテンツを表示する。具体的には、表示画面５１１は、指定されたプロモーテッドアンケートコンテンツに含まれるアンケートに回答するアンケートモニター（対象アンケートモニター）に提供される特典に関するコンテンツを表示する。表示画面５１１においては、３０ポイントが提供されることが示されている。
【０１２６】
提供される特典は、プロモーテッドアンケートコンテンツごとに、当該プロモーテッドアンケートコンテンツに含まれるアンケートに回答することによって対象アンケートモニターに提供されるポイント数を表示する。表示画面５１１は、ディスプレイ２２６において、所定時間再生される。
【０１２７】
表示画面５１２は、表示画面５１１の再生後に、端末装置１２０のディスプレイ２２６に表示される。表示画面５１２は、この実施の形態のプロモーテッドアンケートコンテンツに含まれる２つの関連アンケートコンテンツのうち、第１の関連アンケートコンテンツを再生する場合に、端末装置１２０のディスプレイ２２６に表示される。さらに、表示画面５１２は、第１の関連アンケートコンテンツのうちの質問コンテンツを再生する場合に、端末装置１２０のディスプレイ２２６に表示される。
【０１２８】
表示画面５１２に示されるプロモーテッドアンケートコンテンツは、たとえば「この広告を配信する１万人をピックアップする」、「世界の玩具に関心を持つユーザー」などの配信条件に基づいて、事前にスクリーニングをおこない、スクリーニングの結果ターゲティングされたアンケートモニターに送信されている。アンケートシステム１００においては、このように、まず始めに（該当するプロモーテッドアンケートコンテンツの配信に先立って）「スクリーニング」を実施し、依頼主による配信条件に即したアンケートモニターに該当するプロモーテッドアンケートコンテンツを配信している。
【０１２９】
表示画面５１３は、第１の関連アンケートコンテンツのうちの回答入力コンテンツを再生する場合に、端末装置１２０のディスプレイ２２６に表示される。回答入力コンテンツは、質問コンテンツを再生した後に再生される。具体的には、表示画面５１３は、複数の回答候補を列挙して表示する。運用上、アンケートモニターは、表示された複数の回答候補の中から、自身の回答と同じ（あるいは、自身の回答に最も近い）回答候補を選択する。
【０１３０】
このように、複数の回答候補を列挙して表示し、当該複数の回答候補の中から適切な回答候補を選択させることによって回答の入力を受け付けることにより、少ないタップ回数で回答を入力させることができる。これにより、アンケートの回答に際してのアンケートモニターの負担低減を図ることができる。
【０１３１】
また、表示画面５１３は、回答の入力を促す画面であることを示す、回答形態案内マーク５１３ａが表示されている。表示画面５１３は、複数の回答候補の中から１の回答候補を選択することで回答すること（シングルアンサー）を示す記号（シングルアンサーマーク）である回答形態案内マーク５１３ａを表示する。
【０１３２】
表示画面５１４は、表示画面５１３から別の表示画面（図５Ｂにおける符号５２１を参照）へ切り替わる途中に、端末装置１２０のディスプレイ２２６に表示される。表示画面５１４は、表示画面５１３に表示した複数の回答候補の中から１の回答候補の選択を受け付けた場合に、端末装置１２０のディスプレイ２２６に表示される。表示画面５１４に示すように、表示画面５１３から表示画面５２１へは、表示画面５１３が表示画面５２１の上をスライドするように（ページをめくるように）して切り替わる。
【０１３３】
図５Ｂにおいて、表示画面５２１、５２２は、表示画面５１３に表示された複数の回答候補の中から１の回答候補の選択を受け付けた場合に、端末装置１２０のディスプレイ２２６に表示される。表示画面５２１、５２２は、この実施の形態のプロモーテッドアンケートコンテンツに含まれる２つの関連アンケートコンテンツのうち、第２の関連アンケートコンテンツのうちの質問コンテンツを再生する場合に、端末装置１２０のディスプレイ２２６に表示される。
【０１３４】
第２の関連アンケートコンテンツによる関連アンケートは、たとえば、第１の関連アンケートコンテンツによる関連アンケートと同様に、宣伝対象の認知度を問うアンケートや、宣伝対象に対する関心の高低を問うアンケートや、宣伝対象に対するアンケートモニターの購買意欲を問うアンケートなどによって実現することができる。第２の関連アンケートコンテンツによる関連アンケートは、第１の関連アンケートコンテンツによる関連アンケートにおける質問内容とは異なる内容とする。
【０１３５】
表示画面５２３は、第２の関連アンケートコンテンツのうちの回答入力コンテンツを再生する場合に、端末装置１２０のディスプレイ２２６に表示される。回答入力コンテンツは、第２の関連アンケートコンテンツのうちの質問コンテンツを再生した後に再生される。具体的には、表示画面５２３は、複数の回答候補を列挙して表示する。運用上、アンケートモニターは、表示された複数の回答候補の中から、自身の回答と同じ（あるいは、自身の回答に最も近い）回答候補を選択する。これにより、上記の表示画面５１３と同様に、アンケートの回答に際してのアンケートモニターの負担低減を図ることができる。
【０１３６】
また、表示画面５２３は、回答の入力を促す画面であることを示す、回答形態案内マーク５２３ａが表示されている。表示画面５２３は、複数の回答候補の中から１または複数の回答候補を選択することで回答すること（マルチアンサー）を示す記号（マルチアンサーマーク）である回答形態案内マーク５２３ａを表示する。運用上、アンケートモニターは、表示された複数の回答候補の中から、自身の回答と同じ（あるいは、自身の回答に最も近い）回答候補を１または複数選択する。
【０１３７】
表示画面５２４は、表示画面５２３から表示画面（図５Ｃにおける符号５３１を参照）へ切り替わる途中に、端末装置１２０のディスプレイ２２６に表示される。表示画面５２４は、表示画面５２４に続けて再生される内容を見た後にアンケート（質問）に回答することにより、表示画面５１１において通知した数のポイントが、アンケートモニターに提供されることが確定することを案内するメッセージ５２４ａを表示する。
【０１３８】
また、表示画面５２４は、メッセージ５２４ａの内容に同意するとともに、表示画面５２４に続くコンテンツの再生を指示する場合に操作する再生指示キー５２４ｂを表示する。運用上、アンケートモニターは、メッセージ５２４ａの内容に同意するとともに、表示画面５２４に続くコンテンツの再生を指示する場合に、再生指示キー５２４ｂを操作する。
【０１３９】
図５Ｃにおいて、表示画面５３１、５３２は、宣伝コンテンツを再生する場合に、端末装置１２０のディスプレイ２２６に表示される。宣伝コンテンツは、宣伝対象を宣伝するためのコンテンツであり、たとえば、動画データおよび音声データを組み合わせた形態であることが好ましい。宣伝コンテンツを、動画データや音声データ、あるいは動画データと音声データとを組み合わせた形態とする場合、表示画面５３１、５３２は、宣伝コンテンツの再生を指示したり、再生の停止を指示したりする操作キー５３１ａ、５３２ａを表示する。
【０１４０】
表示画面５３３は、表示画面５３１、５３２に続けて、端末装置１２０のディスプレイ２２６に表示される。表示画面５３３は、表示画面５３１、５３２において再生される宣伝コンテンツを視聴する別の媒体の指定を受け付ける。具体的には、表示画面５３３は、宣伝コンテンツを視聴する別の媒体となる候補を列挙して表示する。
【０１４１】
運用上、アンケートモニターは、表示された複数の候補の中から、別の媒体となる候補を選択する。表示画面５３３において、宣伝コンテンツを視聴する別の媒体を指定することにより、アンケートモニターに対して、スマートフォン以外の別の媒体を介して、別の機会に視聴させることができる。これにより、宣伝対象に接触させる機会を増やし、宣伝対象を効果的に宣伝することができる。表示画面５３３において、宣伝コンテンツを別の媒体で視聴する予定のないアンケートモニターは、キャンセルキーを操作する。
【０１４２】
表示画面５３４は、宣伝アンケートコンテンツのうちの質問コンテンツを再生する場合に、端末装置１２０のディスプレイ２２６に表示される。表示画面５３４は、表示画面５３３において別の媒体の指定を受け付けた場合、あるいは、キャンセルキーが操作された場合に、端末装置１２０のディスプレイ２２６に表示される。表示画面５３４は、表示画面５３１、５３２において再生した宣伝コンテンツの内容に関連する宣伝アンケートを構成する質問コンテンツを表示する。
【０１４３】
図５Ｄにおいて、表示画面５４１は、宣伝アンケートコンテンツのうちの回答入力コンテンツを再生する場合に、端末装置１２０のディスプレイ２２６に表示される。表示画面５４１は、宣伝アンケートコンテンツのうちの質問コンテンツに対する、複数の回答候補を列挙して表示する。また、表示画面５４１は、回答候補の選択が完了したことを示す操作キー５４１ａを表示する。さらに、表示画面５４１は、シングルアンサーマークである回答形態案内マーク５１３ａを表示する。運用上、アンケートモニターは、表示された複数の回答候補の中から、自身の回答と同じ（あるいは、自身の回答に最も近い）回答候補を選択する。これにより、上記の表示画面５１３、５２３と同様に、アンケートの回答に際してのアンケートモニターの負担低減を図ることができる。
【０１４４】
表示画面５４２は、表示画面５４１に表示した複数の回答候補の中から１の回答候補の選択を受け付けた場合に、端末装置１２０のディスプレイ２２６に表示される。表示画面５４２は、アンケート（質問）に回答したために、表示画面５１１において通知した数のポイントが、アンケートモニターに提供されることが確定したことを案内するメッセージ５４２ａを表示する。表示画面５４２は、メッセージ５４２ａによる通知内容を了解した場合や、表示画面５４２を閉じる場合に操作する操作キー５４２ｂを表示する。
【０１４５】
図６Ａおよび図６Ｂは、端末装置１２０が表示する表示画面例を示す説明図である。図６Ａにおいて、表示画面６１１は、表示画面５４２における操作キー５４２ｂが操作された場合に、端末装置１２０のディスプレイ２２６に表示される。表示画面６１１は、図５Ａ、図５Ｂ、図５Ｃおよび図５Ｄにおいて示したプロモーテッドアンケートコンテンツを視聴するアンケートモニターの候補を複数表示する。表示画面６１１が表示する候補は、図５Ａ、図５Ｂ、図５Ｃおよび図５Ｄにおいて示したプロモーテッドアンケートコンテンツを既に視聴した一のアンケートモニターとは別のアンケートモニターであって、サーバ１１０によって任意に特定される。
【０１４６】
表示画面６１１は、表示する候補（別のアンケートモニター）ごとに、当該別のアンケートモニターの回答率を表示する。別のアンケートモニターの回答率は、各別のアンケートモニターが、過去に同様にしてプロモーテッドアンケートコンテンツによるアンケートへの回答を求められた場合に、当該求めに応じて回答した回数に基づいて算出される値を示す。
【０１４７】
また、表示画面６１２は、アンケートへの回答を求めた別のアンケートモニターが、当該求めに応じて回答した場合には、既にアンケートに回答したアンケートモニター（一のアンケートモニター）に対して特典（第１の特典）が提供される旨を通知するメッセージを表示する。特典（第１の特典）は、たとえば、ポイントが加算される特典（第２の特典）への挑戦権を取得するコイン（システム内で通用する擬似通貨など）によって実現することができる。
【０１４８】
この実施の形態のアンケートシステムにおいては、運用上、アンケートへの回答を求めた別のアンケートモニターが当該求めに応じて回答した場合に提供されるコイン（擬似通貨）を所定数貯めることによって、ポイントが加算される特典（第２の特典）に自動的に参加することができる。
【０１４９】
また、この実施の形態のアンケートシステムにおいては、運用上、アンケートへの回答を求めた別のアンケートモニターの端末装置１２０のディスプレイ２２６に、一のアンケートモニターからアンケートへの回答が求められていることを案内する表示画面（図示を省略する）が表示される。
【０１５０】
図６Ｂにおいて、表示画面６２１は、表示画面６１１において別のアンケートモニターを指定することによって提供されたコイン（擬似通貨）が所定数貯まっているアンケートモニターの端末装置１２０に表示される。表示画面６２１は、コイン（擬似通貨）が所定数貯まっているアンケートモニターによって表示画面５４２における操作キー５４２ｂが操作された場合に、端末装置１２０のディスプレイ２２６に表示される。
【０１５１】
表示画面６２１は、ポイントが加算される特典（第２の特典）についてのガイダンス６２１ａ、当該特典（第２の特典）に挑戦する場合に操作するキー６２１ｂ、当該特典（第２の特典）に挑戦せずにプロモーテッドアンケートプログラムを終了する場合に操作するキー６２１ｃなどを表示する。
【０１５２】
この実施の形態において、特典（第２の特典）は、たとえば、一のアンケートモニターが保有するポイントのうち、所定数のポイント（たとえば、３０ポイント）に乗算する倍率を抽選し、抽選した倍率に所定数のポイントを乗算した数のポイントを、当該所定数のポイントに代えて一のアンケートモニターに提供するものとする。
【０１５３】
表示画面６２２は、表示画面６２１においてキー６２１ｂが操作された場合に、端末装置１２０のディスプレイ２２６に表示される。表示画面６２２は、所定数のポイントに乗算する倍率の候補（候補倍率）６２２ａと、当該候補倍率のうち抽選される倍率を案内するガイド６２２ｂと、を表示する。表示画面６２２は、複数の候補倍率６２２ａのうち、ガイド６２２ｂが示す候補倍率６２２ａが抽選される倍率であることを示している。
【０１５４】
表示画面６２３は、表示画面６２２が示す抽選の結果を示す。表示画面６２３は、表示画面６２２が示す抽選の結果、第２の特典に用いた所定数のポイントに代えて一のアンケートモニターに提供されるポイント数を示す。表示画面６２２において、たとえば、「１００」という候補倍率６２２ａが抽選された場合、表示画面６２３においては、所定数のポイント（たとえば、３０ポイント）に代えて「３０００」ポイントが提供されることを示す。
【０１５５】
このように、一のアンケートモニターの端末装置１２０において再生したプロモーテッドアンケートコンテンツを、別のアンケートモニターの端末装置１２０において再生させることにより、プロモーテッドアンケートコンテンツが宣伝する宣伝対象の認知度を高める（拡散する）ことができる。
【０１５６】
（ターゲティングの方法）
つぎに、この発明にかかる実施の形態のアンケートシステム１００におけるターゲティングの方法について説明する。この発明にかかる実施の形態のアンケートシステム１００において、サーバ１１０は、プロモーテッドアンケートコンテンツごとに設定された、当該プロモーテッドアンケートコンテンツにかかるアンケートの回答対象となるアンケートモニターに対して依頼主が求める属性（回答対象属性）に基づいて、各プロモーテッドアンケートコンテンツを配信するアンケートモニターを特定する。
【０１５７】
サーバ１１０は、属性データベース３２０を参照して、回答対象属性に合致する属性のアンケートモニターをターゲットとなるアンケートモニターとして抽出し、抽出したアンケートモニターの端末装置に対して該当するプロモーテッドアンケートコンテンツを配信する。
【０１５８】
サーバ１１０は、特定のアンケートに対して特定の回答をしたアンケートモニターに対して、プロモーテッドアンケートコンテンツを配信してもよい。この場合、サーバ１１０は、たとえば、本来のアンケートへの回答を求めるプロモーテッドアンケートコンテンツの配信に先立って、アンケートモニター特定用のアンケートへの回答を求めるプロモーテッドアンケートコンテンツ（サブプロモーテッドアンケートコンテンツ）を配信する。そして、この場合、サーバ１１０は、サブプロモーテッドアンケートコンテンツに対する回答において、あらかじめ指定された回答をしたアンケートモニターの端末装置に対して、本来のアンケートへの回答を求めるプロモーテッドアンケートコンテンツを配信する。具体的には、「或るアンケートＱ１に対して、当該アンケートＱ１の回答の選択肢の中のＸを選択したアンケートモニター」に対して、プロモーテッドアンケートコンテンツを配信してもよい。
【０１５９】
回答対象属性は、プロモーテッドアンケートコンテンツによる宣伝対象の宣伝を依頼した依頼主によって、あらかじめ指定され、アンケートシステムの管理者などによって所定のデータベース（回答対象属性データベース（図示を省略する））に記憶されている。アンケートシステムにおいては、プロモーテッドアンケートコンテンツにかかるアンケートの回答対象となるアンケートモニターに対して依頼主が求める条件を自然文によって受け付け、当該自然文による条件を上述した自然言語技術（ＮＬＰ）により解析し、解析結果に基づいて回答対象属性を抽出し、抽出した回答対象属性に基づいて、各プロモーテッドアンケートコンテンツを配信するアンケートモニターを特定してもよい。
【０１６０】
（端末装置の処理手順）
つぎに、この発明にかかる実施の形態のアンケートシステムにおける端末装置の処理手順について説明する。図７は、この発明にかかる実施の形態のアンケートシステムにおける端末装置の処理手順を示すフローチャートである。
【０１６１】
図７のフローチャートにおいて、まず、サーバ１１０から自装置を宛先として配信されたプロモーテッドアンケートコンテンツを受信するまで待機する（ステップＳ７０１：Ｎｏ）。ステップＳ７０１において、サーバ１１０から自装置を宛先として配信されたプロモーテッドアンケートコンテンツを受信した場合（ステップＳ７０１：Ｙｅｓ）、表示画面において受信通知を表示する（ステップＳ７０２）。
【０１６２】
つぎに、ステップＳ７０１：Ｙｅｓにおいて受信したプロモーテッドアンケートコンテンツのうち、いずれか一つのプロモーテッドアンケートコンテンツを指定する入力操作を受け付けたか否かを判断する（ステップＳ７０３）。ステップＳ７０３において、いずれか一つのプロモーテッドアンケートコンテンツを指定する入力操作を受け付けていない場合（ステップＳ７０３：Ｎｏ）、ステップＳ７０１へ戻り、該当するプロモーテッドアンケートコンテンツを受信するまで待機する。
【０１６３】
ステップＳ７０３において、いずれか一つのプロモーテッドアンケートコンテンツを指定する入力操作を受け付けた場合（ステップＳ７０３：Ｙｅｓ）、指定されたプロモーテッドアンケートコンテンツに含まれる関連アンケートコンテンツを再生する（ステップＳ７０４）。ステップＳ７０４においては、たとえば、ステップＳ７０３：Ｙｅｓにおいていずれか一つのプロモーテッドアンケートコンテンツを指定する入力操作を受け付けた場合に、該当する関連アンケートコンテンツをサーバ１１０から取得し、取得した関連アンケートコンテンツを再生する。
【０１６４】
そして、ステップＳ７０４において再生した関連アンケートコンテンツに含まれる関連アンケートに対する回答を入力する入力操作を受け付けるまで待機し（ステップＳ７０５：Ｎｏ）、当該入力操作を受け付けた場合（ステップＳ７０５：Ｙｅｓ）、ステップＳ７０３：Ｙｅｓにおいて指定する入力操作を受け付けたいずれか一つのプロモーテッドアンケートコンテンツに含まれる、別の関連アンケートコンテンツがあるか否かを判断する（ステップＳ７０６）。ステップＳ７０６において、別の関連アンケートコンテンツがある場合（ステップＳ７０６：Ｙｅｓ）、ステップＳ７０４へ移行し、別の関連アンケートコンテンツを再生する。
【０１６５】
ステップＳ７０６において、別の関連アンケートコンテンツがない場合（ステップＳ７０６：Ｎｏ）、ステップＳ７０３：Ｙｅｓにおいて指定する入力操作を受け付けたいずれか一つのプロモーテッドアンケートコンテンツに含まれる、宣伝コンテンツの再生を指示する入力操作を受け付けたか否かを判断する（ステップＳ７０７）。ステップＳ７０７において、宣伝コンテンツの再生を指示する入力操作を受け付けた場合（ステップＳ７０７：Ｙｅｓ）、ステップＳ７０３：Ｙｅｓにおいて指定する入力操作を受け付けたいずれか一つのプロモーテッドアンケートコンテンツに含まれる、宣伝コンテンツを再生する（ステップＳ７０８）。ステップＳ７０８においては、たとえば、ステップＳ７０７：Ｙｅｓにおいて宣伝コンテンツの再生を指示する入力操作を受け付けた場合に、該当する宣伝コンテンツをサーバ１１０から取得し、取得した宣伝コンテンツを再生する。
【０１６６】
つぎに、宣伝アンケートコンテンツを再生する（ステップＳ７０９）。ステップＳ７０９においては、たとえば、ステップＳ７０７：Ｙｅｓにおいて宣伝コンテンツの再生を指示する入力操作を受け付けた場合に、該当する宣伝コンテンツとともに該当する宣伝アンケートコンテンツをサーバ１１０から取得し、取得した宣伝コンテンツの再生が終了した後に、取得した宣伝アンケートコンテンツを再生する。
【０１６７】
そして、ステップＳ７０９において再生した宣伝アンケートコンテンツに含まれる宣伝アンケートに対する回答を入力する入力操作を受け付けるまで待機し（ステップＳ７１０：Ｎｏ）、当該入力操作を受け付けた場合（ステップＳ７１０：Ｙｅｓ）、ステップＳ７０５：Ｙｅｓ、ステップＳ７１０：Ｙｅｓにおいて入力を受け付けた回答に基づいて回答情報を生成する（ステップＳ７１１）。
【０１６８】
その後、ステップＳ７１１において生成した回答情報を、ステップＳ７０１：Ｙｅｓにおいて受信し、ステップＳ７０３：Ｙｅｓにおいて指定されたいずれか一つのプロモーテッドアンケートコンテンツの送信元となるサーバ１１０に対して送信して（ステップＳ７１２）、一連の処理を終了する。
【０１６９】
ステップＳ７０７において、宣伝コンテンツの再生を指示する入力操作を受け付けていない場合（ステップＳ７０７：Ｎｏ）、別再生を指示する入力操作を受け付けたか否かを判断する（ステップＳ７１３）。ステップＳ７１３においては、たとえば、他の端末装置や他の媒体を用いて再生することを指示する入力操作を受け付けたか否かを判断する。
【０１７０】
ステップＳ７１３において、別再生を指示する入力操作を受け付けた場合（ステップＳ７１３：Ｙｅｓ）、指示された他の端末装置や他の媒体に、宣伝コンテンツのＵＲＬに関する情報を送信するなどの転送処理をおこなって（ステップＳ７１４）、一連の処理を終了する。
【０１７１】
ステップＳ７１３において、別再生を指示する入力操作を受け付けていない場合（ステップＳ７１３：Ｎｏ）、ステップＳ７０３：Ｙｅｓにおいて指定する入力操作を受け付けたいずれか一つのプロモーテッドアンケートコンテンツの再生を中断する中断指示の入力操作を受け付けたか否かを判断する（ステップＳ７１５）。ステップＳ７１５において、中断指示の入力操作を受け付けていない場合（ステップＳ７１５：Ｎｏ）、ステップＳ７０７へ移行する。
【０１７２】
一方、ステップＳ７１５において、中断指示の入力操作を受け付けた場合（ステップＳ７１５：Ｙｅｓ）、ステップＳ７０３：Ｙｅｓにおいて指定する入力操作を受け付けたいずれか一つのプロモーテッドアンケートコンテンツの再生を中断する処理をおこなって、一連の処理を終了する。
【０１７３】
インターネットなどのネットワークを利用した広告において、サイト流入施策（ＬＰアクセス）の一般的なコンバージョンレートは、一般的には０．０Ｘ％（Ｘは任意の整数）と想定される。すなわち、インプレッションの９９．９％はＬＰアクセスされず、直接的な広告効果の対象外となる。このため、従来の技術による広告では、インプレッションによるアトリビューション（成果に対する広告の寄与度）という概念は認められるものの、獲得施策との連関性が薄いという実情があった。
【０１７４】
これに対し、この発明にかかる実施の形態のアンケートシステムによれば、宣伝対象の宣伝を依頼した依頼主に対して、プロモーテッドアンケートコンテンツを配信したアンケートモニターのほぼ１００％に対するＬＰアクセスを保証することができる。これにより、この発明にかかる実施の形態のアンケートシステムによれば、ＬＰへのアクセス数ではかるべき、認知施策、欲求施策であるネット系広告運用の最重要ＫＰＩを実現することができる。
【０１７５】
また、この発明にかかる実施の形態のアンケートシステムによれば、単にサイト誘導するのではなく、ターゲティング抽出したアンケートモニターにプロモーテッドアンケートコンテンツに含まれるアンケートに回答させた上で「接触させたいコンテンツ」を指定してリーチさせることができる。これにより、依頼主がアンケートしたいアンケートモニターの回答を、効果的かつ確実に得ることができる。
【０１７６】
以上説明したように、この発明にかかる実施の形態のプロモーテッドアンケートプログラム（ソーシャルリワードアプリケーション）は、サーバ１１０と通信可能な端末装置１２０に対して、表示制御部４２４ａと入力部４２３とを備える端末装置に、プロモーテッドアンケートコンテンツを取得させ、取得されたプロモーテッドアンケートコンテンツにおける関連アンケートコンテンツを再生させ、当該関連アンケートコンテンツが再生された結果、関連アンケートに対する回答の入力を受け付けた場合に宣伝コンテンツを再生させ、宣伝コンテンツが再生された後に宣伝アンケートコンテンツを再生させ、宣伝アンケートコンテンツが再生された結果、宣伝アンケートに対する回答の入力を受け付けた場合に回答情報を生成させ、生成された回答情報をプロモーテッドアンケートコンテンツの取得元に送信させる、処理を実行させることを特徴としている。
【０１７７】
この実施の形態のプロモーテッドアンケートプログラムによれば、アンケートに回答させた後に宣伝コンテンツを再生することにより、宣伝対象に対する利用者の関心を興起させたり、宣伝対象に対する利用者の意向を確認したり、宣伝対象に対する利用者の好意を醸成させたりした後に、コンテンツの作成元が意図する宣伝をおこなうことができる。
【０１７８】
また、この実施の形態のプロモーテッドアンケートプログラムによれば、関連コンテンツの再生後にアンケートへの回答をおこなったアンケートモニターの端末装置において宣伝コンテンツを再生することにより、宣伝対象に関心を持っているアンケートモニターや、宣伝対象に対する知識を持ったアンケートモニターの端末装置において、宣伝対象を宣伝することができる。
【０１７９】
プロモーテッドアンケートコンテンツを再生する端末装置は、アンケートへの回答という形で宣伝対象に対する関心を示したアンケートモニターの端末装置であるため、端末装置の表示画面全面を用いてプロモーテッドアンケートコンテンツを再生することができる。これにより、宣伝対象に関する宣伝が、コンテンツの作成元が意図しない広告などと併存することを回避することができる。
【０１８０】
また、この実施の形態のプロモーテッドアンケートプログラムによれば、アンケートモニターに対して、当該アンケートモニター自身が関心のある情報を提供することができる。たとえば、アンケートモニターは、具体的な商品名を認知していない場合にも、自身にとって関心のある商品やサービスについての情報を容易かつ確実に得ることができる。
【０１８１】
また、この実施の形態のプロモーテッドアンケートプログラムによれば、アンケートに回答させることにより、回答内容に基づいて、宣伝対象ごとに、当該宣伝対象に対する関心の高さをプロファイリングすることができる。これにより、宣伝対象ごとに、当該宣伝対象に対する関心が高いと分析されたアンケートモニターを抽出したり、当該宣伝対象を認知させたいアンケートモニターを抽出したりすることができる。そして、これにより、宣伝対象の宣伝を依頼する依頼主が意図するアンケートモニターに対して、当該宣伝対象を効果的に宣伝することができ、当該宣伝対象の認知度の向上や拡販を図ることができる。
【産業上の利用可能性】
【０１８２】
以上のように、この発明にかかるプロモーテッドアンケートプログラムおよび端末装置は、インターネットを介してアンケートモニターの意見を回収するアンケートシステムに用いるプロモーテッドアンケートプログラムおよび端末装置に有用であり、特に、アンケートの依頼主が希望する属性のアンケートモニターの意見を回収するアンケートシステムに用いるプロモーテッドアンケートプログラムおよび端末装置に適している。
【符号の説明】
【０１８３】
１００  アンケートシステム
１１０  サーバ
１２０  端末装置
４２１  取得部
４２２  表示部
４２３  入力部
４２４  制御部
４２５  記憶部
４２６  送信部
【図１】
2015049546.tif 000003
【図２Ａ】
2015049546.tif 000004
【図２Ｂ】
2015049546.tif 000005
【図３Ａ】
2015049546.tif 000006
【図３Ｂ】
2015049546.tif 000007
【図３Ｃ】
2015049546.tif 000008
【図４】
2015049546.tif 000009
【図５Ａ】
2015049546.tif 000010
【図５Ｂ】
2015049546.tif 000011
【図５Ｃ】
2015049546.tif 000012
【図５Ｄ】
2015049546.tif 000013
【図６Ａ】
2015049546.tif 000014
【図６Ｂ】
2015049546.tif 000015
【図７】
2015049546.tif 000016